(57)【要約】【課題】  捏ねることにより固さが変化し、粘土のように成形することができると共に、ゲル状玩具のように触感を楽しむことのできる玩具用粘土状組成物を提供すること。【解決手段】  粘土基材と香料成分とからなる玩具用粘土状組成物であって、当該粘土基材が、粘着性付与剤、粘度調整剤、及び湿潤潤滑剤を含んで構成されており、前記粘度調整剤の配合量は、粘着性付与剤に対して２１質量％以上、４１質量％以下であり、前記湿潤潤滑剤の配合量は、粘着性付与剤に対して２３質量％以上、４３質量％以下である玩具用粘土状組成物とする。【選択図】なし【特許請求の範囲】
【請求項１】
粘土基材と香料成分とからなる玩具用粘土状組成物であって、
当該粘土基材が、粘着性付与剤、粘度調整剤、及び湿潤潤滑剤を含んで構成されており、
前記粘度調整剤の配合量は、粘着性付与剤に対して２１質量％以上、４１質量％以下であり、
前記湿潤潤滑剤の配合量は、粘着性付与剤に対して２３質量％以上、４３質量％以下であることを特徴とする、玩具用粘土状組成物。
【請求項２】
粘土基材と香料成分とからなる玩具用粘土状組成物であって、
当該粘土基材が、ポリイソブチレン、ポリメタクリル酸メチル、及びパラフィンを含んでおり、
前記ポリメタクリル酸メチルの配合量は、ポリイソブチレンに対して２１質量％以上、４１質量％以下であり、
前記パラフィンの配合量は、ポリイソブチレンに対して２３質量％以上、４３質量％以下であることを特徴とする、玩具用粘土状組成物。
【請求項３】
前記粘土基材が、更にでん粉及びシリコーンを含み、
前記でん粉の配合量は、ポリイソブチレンに対して２７質量％以上、４８質量％以下であり、
前記シリコーンの配合量は、ポリイソブチレンに対して９質量％以上、２９質量％以下である、請求項１又は２に記載の玩具用粘土状組成物。
【発明の詳細な説明】
【技術分野】
【０００１】
本発明は、粘度の様に練って遊ぶことのできる玩具用粘土状組成物に関し、特に練ることによって柔らかくなり、感触が変化する玩具用粘土状組成物に関する。
【背景技術】
【０００２】
従来、幼稚園や保育園或いは小学校等で図工の教材や、手芸・工芸用として玩具用粘土が利用されている。かかる玩具用粘土としては、樹脂粘土、紙粘土、粘土等があり、手触り感がさらさらしていてべたつかない、造形し易い等の特性を備えていることが望まれている。
【０００３】
例えば特許文献１（特開平５−１４２９９０号公報）では、主成分としての澱粉類に対して、一定の割合で、ガム類とα化穀粉及び／またはα化澱粉とを配合することによって、酢酸ビニル樹脂のような固化剤を配合しなくても、また、加熱工程を経なくても、粘土としての適度な保形性、塑性、保存安定性を有し、また乾燥速度が穏やかで取扱が容易な粘土を製造することができることが開示されている。
【０００４】
また特許文献２（特開平４−６９６９６号公報）では、使用者が常温で容易に塑性変形することができ、且つ滑らかな触感を有する玩具として有用な粘土状発泡体を提案している。この文献では、水中で反応してガス泡を発生し得る発泡成分と、ポリエチレングリコールと、砂糖との混合体であって、常温で容易に塑性変形し得る粘度を有する玩具用粘土状発泡体として提案されている。
【０００５】
そして、前記玩具用粘土と同じように手で握って遊ぶ玩具としてスライム（登録商標）等のゲル状玩具が提供されている。かかるゲル状玩具は、手にべとつかない程度の適度な粘性と冷たく湿った感触があり、触って遊ぶためだけの玩具であり、ポリビニルアルコールとホウ砂、又は澱粉と水によって形成されている。
【０００６】
そしてこのような流動性を有し、素手で直接こねても付着性が少ないゲル状玩具については、特許文献３（特開平７−１２４３４３号公報）の玩具用熱変色性流動体が提案されている。この文献では、玩具用のゲル状組成物に、温度により色調が変化する意外性、変化性を付加した、長時間遊戯しても飽きることがない玩具用ゲル状組成物を提供するべく、電子供与性呈色性有機化合物、電子受容性化合物、及び変色温度調節剤の３成分を内包させた微小カプセル顔料を、全重量中０．５乃至２０重量％の割合でゲル状組成物中に分散させた玩具用熱変色性流動体が提案されている。
【先行技術文献】
【特許文献】
【０００７】
【特許文献１】特開平５−１４２９９０号公報
【特許文献２】特開平４−６９６９６号公報
【特許文献３】特開平７−１２４３４３号公報
【発明の概要】
【発明が解決しようとする課題】
【０００８】
前記の通り、従前においても保形性や触感などを改良した玩具用粘土や、素手で捏ねることによる触感を楽しむゲル状玩具は提案されている。しかしながら、粘土よりも柔らかく、捏ねることにより十分な柔らかさに変化するものは提案されていなかった。
【０００９】
そこで本発明は、捏ねることにより固さが変化し、粘土のように成形することができると共に、ゲル状玩具のように触感を楽しむことのできる玩具用粘土状組成物を提供することを課題とする。
【課題を解決するための手段】
【００１０】
上記課題を解決するべく、本発明では、粘土基材と香料成分とからなる玩具用粘土状組成物であって、当該粘土基材が、粘着性付与剤、粘度調整剤、及び湿潤潤滑剤を含んで構成されており、前記粘度調整剤の配合量は、粘着性付与剤に対して２１質量％以上、４１質量％以下であり、前記湿潤潤滑剤の配合量は、粘着性付与剤に対して２３質量％以上、４３質量％以下である玩具用粘土状組成物を提供する。
【００１１】
また本発明では、粘土基材と香料成分とからなる玩具用粘土状組成物であって、当該粘土基材が、ポリイソブチレン、ポリメタクリル酸メチル、及びパラフィンを含んでおり、前記ポリメタクリル酸メチルの配合量は、ポリイソブチレンに対して２１質量％以上、４１質量％以下であり、前記パラフィンの配合量は、ポリイソブチレンに対して２３質量％以上、４３質量％以下である玩具用粘土状組成物を提供する。
【００１２】
かかる玩具用粘土状組成物の実施の形態では、前記粘土基材が、更にでん粉及びシリコーンを含み、前記でん粉の配合量は、ポリイソブチレンに対して２７質量％以上、４７質量％以下であり、前記シリコーンの配合量は、ポリイソブチレンに対して９質量％以上、２９質量％以下である玩具用粘土状組成物とすることができる。
【００１３】
前記パラフィンは流動パラフィンであることが望ましく、前記シリコーンはポリジメチルシロキサンであることが望ましい。
【発明の効果】
【００１４】
上記本発明にかかる玩具用粘土状組成物によれば、粘土基材が、粘着性付与剤、粘度調整剤、及び湿潤潤滑剤を含んで構成されており、粘度調整剤の配合量は、粘着性付与剤に対して２１質量％以上、４１質量％以下であり、湿潤潤滑剤の配合量は、粘着性付与剤に対して２３質量％以上、４３質量％以下であることから、ゲル状玩具よりも成形性が高く、玩具用粘土よりも柔らかい玩具用粘土状組成物を実現することができる。
【００１５】
また当該玩具用粘土状組成物は、捏ねることにより固さが変化し、粘土のような成形を行うことができると共に、ゲル状玩具のように触感を楽しむこともできる。特に本発明にかかる玩具用粘土状組成物は、捏ねて柔らかくした後に引き伸ばすことで、ふわふわした感触を得る事ができ、乳児や幼児、或いは握力が低下した高齢者等であっても、触感を楽しむことができる。
【発明を実施するための形態】
【００１６】
以下、上記本発明にかかる玩具用粘土状組成物について、幾つかの実施の形態を具体的に示す。本実施の形態にかかる玩具用粘土状組成物は、特に粘土基材と香料成分と着色成分とで構成している。
【００１７】
粘土基材は玩具用粘土状組成物の基本となる成分であり、使用者が捏ねた時の感触や成形性を実現する為の成分が使用されている。本実施の形態では、当該粘土基材は粘着性付与剤、粘度調整剤、及び湿潤潤滑剤を用いて形成している。具体的には、ポリイソブチレン、ポリメタクリル酸メチル、パラフィンを使用しており、更にでん粉、及びシリコーンを用いて形成されている。
【００１８】
前記ポリイソブチレンは、粘土基材における主剤として使用することができ、イソブチレンをモノマーとした重合物であるが、重合成分として、イソプレンを２％まで含んでも良く、これらは市販のものを入手して用いることができる。かかるポリイソブチレンは、玩具用粘土状組成物中、３３質量％以上、５４質量％以下の割合、望ましくは、３８質量％以上、４９質量％以下の割合で使用することができる。
【００１９】
前記ポリメタクリル酸メチルは、前記ポリイソブチレンと共に粘土基材を構成し、粘度調整剤として使用することができる。かかるポリメタクリル酸メチルは、玩具用粘土状組成物中、３質量％以上、２４質量％以下の割合、望ましくは１０質量％以上、１７質量％以下の範囲で使用することができ、前記ポリイソブチレンに対して、２１質量％以上、４１質量％以下の割合、望ましくは２６質量％以上、３５質量％以下の割合で配合することができる。
【００２０】
前記でん粉は、粘土基材における保水性を確保する為に使用することができ、小麦、トウモロコシ、馬鈴薯、サツマイモ、タピオカ、サゴ、米等から得られるものを使用することができる。また当該でん粉に変えて、グリセリン、ソルビトール、カルボキシメチルセルロース、デキストリン、ポリビニルアルコールなどを使用する事もできる。かかるでん粉は、玩具用粘土状組成物中、６質量％以上、２７質量％以下の割合、望ましくは１２質量％以上、２０質量％以下の割合で使用することができ、前記ポリイソブチレンに対して、２７質量％以上、４８質量％以下の割合、望ましくは３２質量％以上、４０質量％以下の範囲で配合することができる。
【００２１】
前記パラフィンは湿潤潤滑剤として使用することができ、特に流動性パラフィン（パラフィンオイル）であることが望ましい。また湿潤潤滑剤としては、その他にもグリセリン、ソルビトール、プロピレングリコール、植物油等を使用することができる。かかるパラフィンオイルは、玩具用粘土状組成物中、４質量％以上、２５質量％以下の割合、望ましくは１０質量％以上、１８質量％以下の割合で使用することができ、前記ポリイソブチレンに対して、２３質量％以上、４３質量％以下の割合、望ましくは２８質量％以上、３６質量％以下の割合で配合することができる。
【００２２】
前記シリコーンはポリジメチルシロキサンを使用することができ、表面張力を低下させ、消泡作用を目的として配合することができる。かかるポリジメチルシロキサンは、玩具用粘土状組成物中、１質量％以上、１９質量％以下の割合、望ましくは５質量％以上、１１質量％以下の割合で使用することができ、前記ポリイソブチレンに対して、９質量％以上、２９質量％以下の割合、望ましくは１４質量％以上、２３質量％以下の割合で配合することができる。
【００２３】
また、本実施の形態にかかる玩具用粘土状組成物では、乳幼児などの使用者が口にすることを阻止する為に、口にした時に苦みを感じる成分を添加することができる。かかる苦み成分としては、安息香酸デナトニウムを使用することができる。この安息香酸デナトニウムは、玩具用粘土状組成物中、０．０１質量％以上、２３質量％以下の割合で使用することができ、前記ポリイソブチレンに対して、２１質量％以上、１．３質量％以下の割合で配合することができる。
【００２４】
そして本実施の形態にかかる玩具用粘土状組成物には、さらに必要に応じて、塩析剤、充填剤、防腐剤、着色剤、ｐＨ調整剤、老化防止剤等を配合することができる。
【００２５】
塩析剤としては、食塩、カリウムミョウバン、硫酸アルミニウム、硫酸カリウム等が挙げられる。充填剤としては、珪藻土、タルク、クレー、シリカ、アルミナ等が挙げられる。防腐剤としては、安息香酸化合物、プロピオン酸化合物、過酸化水素等が挙げられる。
【００２６】
また、着色剤は顔料又は染料を採用できる。顔料としては、公知の顔料を採用できるが、本発明製品の性格上、安全性が求められるため、次の化粧品規制の要求純度を満足する加工顔料を採用してもよい。その加工顔料として、例えば、クラリアントジャパン株式会社製、Ｃｏｓｍｅｎｙｌ  Ｐｉｇｍｅｎｔシリーズ、「Ｃｏｓｍｅｎｙｌ  Ｙｅｌｌｏｗ  Ｇ  ３０」（Ｃ．Ｉ．Ｎｕｍｂｅｒ：Ｃ．Ｉ．１１６８０、Ｃ．Ｉ．Ｇｅｎｅｒｉｃ  ｎａｍｅ：Ｐｉｇｍｅｎｔ  Ｙｅｌｌｏｗ  １）、「Ｃｏｓｍｅｎｙｌ  Ｙｅｌｌｏｗ  １０Ｇ」（Ｃ．Ｉ．Ｎｕｍｂｅｒ：Ｃ．Ｉ．１１７１０、Ｃ．Ｉ．Ｇｅｎｅｒｉｃ  ｎａｍｅ：Ｐｉｇｍｅｎｔ  Ｙｅｌｌｏｗ  ３）、「Ｃｏｓｍｅｎｙｌ  Ｒｅｄ  ＦＧＲ」（Ｃ．Ｉ．Ｎｕｍｂｅｒ：Ｃ．Ｉ．１２３７０、Ｃ．Ｉ．Ｇｅｎｅｒｉｃ  ｎａｍｅ：Ｐｉｇｍｅｎｔ  Ｒｅｄ  １１２）、「Ｃｏｓｍｅｎｙｌ  Ｃａｒｍｉｎｅ  ＦＢ  ０１」（Ｃ．Ｉ．Ｎｕｍｂｅｒ：Ｃ．Ｉ．１２４９０、Ｃ．Ｉ．Ｇｅｎｅｒｉｃ  ｎａｍｅ：Ｐｉｇｍｅｎｔ  Ｒｅｄ  ５）、「Ｃｏｓｍｅｎｙｌ  Ｖｉｏｌｅｔ  ＲＬ」（Ｃ．Ｉ．Ｎｕｍｂｅｒ：Ｃ．Ｉ．５１３１９、Ｃ．Ｉ．Ｇｅｎｅｒｉｃ  ｎａｍｅ：Ｐｉｇｍｅｎｔ  Ｖｉｏｌｅｔ  ２３）、「Ｃｏｓｍｅｎｙｌ  Ｂｌｕｅ  Ａ２Ｒ」（Ｃ．Ｉ．Ｎｕｍｂｅｒ：Ｃ．Ｉ．７４１６０、Ｃ．Ｉ．Ｇｅｎｅｒｉｃ  ｎａｍｅ：Ｐｉｇｍｅｎｔ  Ｂｌｕｅ  １５：１）、「Ｃｏｓｍｅｎｙｌ  Ｇｒｅｅｎ  ＧＧ」（Ｃ．Ｉ．Ｎｕｍｂｅｒ：Ｃ．Ｉ．７４２６０、Ｃ．Ｉ．Ｇｅｎｅｒｉｃ  ｎａｍｅ：Ｐｉｇｍｅｎｔ  Ｇｒｅｅｎ  ７）、「Ｃｏｓｍｅｎｙｌ  Ｂｌａｃｋ  Ｒ」（Ｃ．Ｉ．Ｎｕｍｂｅｒ：Ｃ．Ｉ．７７２６６、Ｃ．Ｉ．Ｇｅｎｅｒｉｃ  ｎａｍｅ：Ｐｉｇｍｅｎｔ  Ｂｌａｃｋ  ７）を採用できる。前記加工顔料から選ばれる着色剤は、１又は２以上を用いることができ、玩具用粘土状組成物全量に対し好ましくは０．００１質量％以上、１０質量％以下の割合で用いることができる。
【００２７】
また、染料も採用可能で、公知の染料を採用できるが、本発明製品の性格上、安全性が求められるため、着色剤として、次の食用色素又は天然色素を採用してもよい。例えば、食用赤色２号（Ｃ.Ｉ.Ｎｕｍｂｅｒ：Ｃ.Ｉ.１６１８５、Ｃｏｌｏｒ Ｉｎｄｅｘ Ｎａｍｅ：Ａｃｉｄ Ｒｅｄ ２７）、食用赤色３号（Ｃ.Ｉ.Ｎｕｍｂｅｒ：Ｃ.Ｉ.４５４３０、Ｃｏｌｏｒ Ｉｎｄｅｘ Ｎａｍｅ：Ａｃｉｄ Ｒｅｄ ５１）、食用赤色４０号（Ｃ.Ｉ.Ｎｕｍｂｅｒ：Ｃ.Ｉ.１６０３５、Ｃｏｌｏｒ Ｉｎｄｅｘ Ｎａｍｅ：Ｆｏｏｄ Ｒｅｄ １７）、食用赤色１０２号（Ｃ.Ｉ.Ｎｕｍｂｅｒ：Ｃ.Ｉ.１６２５５、Ｃｏｌｏｒ Ｉｎｄｅｘ Ｎａｍｅ：Ａｃｉｄ Ｒｅｄ １８）、食用赤色１０４号（Ｃ.Ｉ.Ｎｕｍｂｅｒ：Ｃ.Ｉ.４５４１０、Ｃｏｌｏｒ Ｉｎｄｅｘ Ｎａｍｅ：Ａｃｉｄ Ｒｅｄ ９２）、食用赤色１０５号（Ｃ.Ｉ.Ｎｕｍｂｅｒ：Ｃ.Ｉ.４５４４０、Ｃｏｌｏｒ Ｉｎｄｅｘ Ｎａｍｅ：Ａｃｉｄ Ｒｅｄ ９４）、食用赤色１０６号（Ｃ.Ｉ.Ｎｕｍｂｅｒ：Ｃ.Ｉ.４５１００、Ｃｏｌｏｒ Ｉｎｄｅｘ Ｎａｍｅ：Ａｃｉｄ Ｒｅｄ ５２）、食用黄色４号（Ｃ.Ｉ.Ｎｕｍｂｅｒ：Ｃ.Ｉ.１９１４０、Ｃｏｌｏｒ Ｉｎｄｅｘ Ｎａｍｅ：Ａｃｉｄ Ｙｅｌｌｏｗ ２３）、食用黄色５号（Ｃ.Ｉ.Ｎｕｍｂｅｒ：Ｃ.Ｉ.１５９８５、Ｃｏｌｏｒ Ｉｎｄｅｘ Ｎａｍｅ：Ｆｏｏｄ Ｙｅｌｌｏｗ ３）、食用緑色３号（Ｃ.Ｉ.Ｎｕｍｂｅｒ：Ｃ.Ｉ.４２０５３、Ｃｏｌｏｒ Ｉｎｄｅｘ Ｎａｍｅ：Ｆｏｏｄ Ｇｒｅｅｎ ３）、食用青色１号（Ｃ.Ｉ.Ｎｕｍｂｅｒ：Ｃ.Ｉ.４２０９０、Ｃｏｌｏｒ Ｉｎｄｅｘ Ｎａｍｅ：Ｆｏｏｄ Ｂｌｕｅ ２）、食用青色２号（Ｃ.Ｉ.Ｎｕｍｂｅｒ：Ｃ.Ｉ.７３０１５、Ｃｏｌｏｒ Ｉｎｄｅｘ Ｎａｍｅ：Ａｃｉｄ Ｂｌｕｅ ７４）などの食用染料色素や、食用赤色２号アルミニウムレーキ、食用赤色３号アルミニウムレーキ、食用赤色４０号アルミニウムレーキ、食用黄色４号アルミニウムレーキ、食用黄色５号アルミニウムレーキ、食用緑色３号アルミニウムレーキ、食用青色１号アルミニウムレーキ、食用青色２号アルミニウムレーキなどの食用顔料色素や、ベニコウジ色素（Ｍｏｎａｓｃｕｓ Ｃｏｌｏｒ）、β-カロテン（ｂｅｔａ-Ｃａｒｏｔｅｎｅ）、ラック色素（Ｌａｃｃａｉｃ Ａｃｉｄ）、コチニール色素（Ｃｏｃｈｉｎｅａｌ Ｅｘｔｒａｃｔ）、パプリカ色素（Ｐａｐｒｉｋａ Ｏｌｅｏｒｅｓｉｎ）、ビートレッド（Ｂｅｅｔ Ｒｅｄ）、アントシアニン色素（Ａｎｔｈｏｃｙａｎｉｎｓ）、クチナシ色素（Ｇａｒｄｅｎｉａ Ｅｘｔｒａｃｔ）、ベニバナ色素（Ｃａｒｔｈａｍｕｓ Ｅｘｔｒａｃｔ）、ウコン色素（Ｔｕｒｍｅｒｉｃ Ｏｌｅｏｒｅｓｉｎ）、アナトー色素（Ａｎｎａｔｔｏ Ｅｘｔｒａｃｔｓ）、クロロフィル（Ｃｈｌｏｒｏｐｈｙｌｌｓ）、カキ色素（Ｊａｐａｎｅｓｅ Ｐｅｒｓｉｍｍｏｎ Ｃｏｌｏｒ）、タマリンド色素（Ｔａｍａｒｉｎｄ Ｃｏｌｏｒ）、カラメル色素（Ｃａｒａｍｅｌ）などの天然色素を用いることができる。前記食用色素又は天然色素から選ばれる着色剤は、１又は２以上を用いることができ、玩具用粘土状組成物全体量に対し好ましくは０．００１質量％以上、２０質量％以下の割合で用いることができる。
【００２８】
香料としては、ゲラニオール、シトロネロール、シトロネラール、シトラール、オイゲノール、フェネチルアルコール、チモール、イソオイゲノール、ネロール、ラバンジュロール、フェノキシエチルアルコール、リナロール、青葉アルコール、Ｌ−メントール、ボルネオール、ベンジルアルコール、バニリン、アルデヒドＣ１４、ヘプタン酸アリル、安息香酸ベンジル、酪酸エチル、カプロン酸エチル、オクタナール、リナロール、酢酸１−フェニルエチル、酢酸イソアミル、酪酸アミル、バニリン、ヘディオン及びエチルマルトール等が挙げられる。そしてこれらの香料を溶解させるための溶剤、例えばトリアセチンを配合することができる。
【００２９】
以上の実施の形態にかかる玩具用粘土状組成物によれば、手で捏ねても手に付着することはなく、また手練り成型加工温度が２０℃未満では任意の形状を成形できる程度の保形性を有することから、粘土として使用することができる。そして手捏ねにより３０℃前後まで温まった後においては、流動性を発現し、とても柔らかになることから触感を楽しむことができる。かかる玩具用粘土状組成物は、手捏ねにより空気を内包することができ、これにより柔らかくなるものと考えられる。
【実施例１】
【００３０】
以下の実施例では、上記実施の形態にかかる玩具用粘土状組成物のサンプルを以下の表１〜４に示す成分で製造し、その感触を確認した。なお、以下の表１〜４に示すサンプルにおいて残余成分として水を使用した。
【００３１】
【表１】
2020124296.tif 000002
【００３２】
【表２】
2020124296.tif 000003
【００３３】
【表３】
2020124296.tif 000004
【００３４】
【表４】
2020124296.tif 000005
【００３５】
上記表１〜４に示したサンプル１〜４は、それぞれ着色料及び香料を変えて玩具用粘土状組成物を製造した。特にサンプル１においては、ポリイソブチレンに対する主要成分の配合割合は以下のように調整した。
ポリイソブチレンに対するポリメタクリル酸メチルの配合割合：３１．６質量％
ポリイソブチレンに対する澱粉の配合割合：３７．８質量％
ポリイソブチレンに対するパラフィンオイルの配合割合：３２．２質量％
ポリイソブチレンに対するポリジメチルシロキサンの配合割合：１９．９質量％
ポリイソブチレンに対する安息香酸デナトニウムの配合割合：０．７質量％
【００３６】
そして上記表１〜４に示したサンプル１〜４について、２０℃以下の温度での触感を確認したところ、任意の形状を成形できる程度の保形性があることを確認できた。またサンプル１〜４を手で捏ねたところ、捏ねれば捏ねるほど柔らかくなり、且つ伸ばしても千切れない事を確認した。十分捏ねた後においては、粘土ともゲル状玩具とも異なる、これまでにない柔軟で且つフワフワした触感を確認することができた。
【産業上の利用可能性】
【００３７】
本発明にかかる玩具用粘土状組成物は、玩具として使用する事はもちろんであり、成形した製品は美術品などとしても使用することができる。更にこの玩具用粘土状組成物は、建築分野における補綴材としても使用することができる。